(57)【要約】【課題】  引締った均一な黒画面、明るい均一な白画面を実現し、高コントラスト比の投射型表示装置を提供する。【解決手段】  Ｒ，Ｇ，Ｂ各々の空間光変調素子６１，６２，６３とＰＢＳ３，４との間には１／４波長板１０Ｒ，１０Ｇ，１０Ｂが配置される。Ｂ用波長板１０Ｂは、ＰＢＳ４の反射光であるＳ偏光が入射する。Ｂ用波長板１０Ｂの遅相軸はＳ偏光の偏光方向と垂直に設定して配置する。Ｒ用波長板１０Ｒは、ＰＢＳ４の透過光であるＰ偏光が入射する。このときＲ用波長板１０Ｒの遅相軸はＰ偏光の偏光方向と垂直に設定して配置する。Ｇ用波長板１０Ｇは、ＰＢＳ３の透過光であるＰ偏光が入射する。このときＧ用波長板１０Ｇの遅相軸はＰ偏光の偏光方向と垂直に設定して配置する。【選択図】      図１
2005242106.tif 000002
【特許請求の範囲】
【請求項１】
光源と、照明光学系と、偏光選択変換手段と、少なくとも２組の空間光変調素子及び前記空間光変調素子に対応した波長板と、を用いた投射型表示装置であって、
前記光源より出射された光を前記照明光学系で略均一な平行光とした後、前記偏光選択変換手段により前記空間光変調素子の組数に応じた色光に選択され、且つ偏光方向を揃え前記波長板及び前記空間光変調素子に順次供給されると共に、
前記波長板のうち少なくとも１組以上の波長板の遅相軸を対応する前記反射型光変調素子の画像表示領域のアスペクトの長辺方向に略一致させ、他の組の波長板の遅相軸を対応する前記アスペクトの短辺方向に略一致させるように構成したことを特徴とする投射型表示装置。
【請求項２】
光源と、照明光学系と、偏光選択変換手段と、前記光源のうち３原色に対応した３組の空間光変調素子及び前記空間光変調素子に対応した波長板を用いた投射型表示装置であって、
前記光源より出射された光を前記照明光学系で均一な平行光とした後、前記偏光選択変換手段により３組の前記空間光変調素子に応じた色光に選択され、且つ偏光方向を揃え前記波長板及び前記空間光変調素子に順次供給されると共に、
前記３組の波長板うち、２組の波長板の遅相軸を対応する前記反射型光変調素子の画像表示領域のアスペクトの長辺方向に略一致させ、残りの１組の波長板の遅相軸を対応する前記アスペクトの短辺方向に略一致たことを特徴とした投射型表示装置。
【請求項３】
前記波長板の位相差は、前記色光の中心波長において、略１／４波長の位相差を有することを特徴とする請求項１又は２に記載の投射型表示装置。
【発明の詳細な説明】
【技術分野】
【０００１】
本発明は、反射型光変調素子と波長板を用いた投射型表示装置に係り、その投射画像の高コントラスト化に関する。
【背景技術】
【０００２】
反射型光変調素子を用いた投射型表示装置は、その解像度の高さと高コントラスト比が特徴であり、様々な構成のものが開発され商品化されている。その多くは反射型光変調素子を３枚用いる３板式カラープロジェクタであり、メタルハライドランプ等の強力な光源から得られる白色光を３原色に分解し、その色分解された各光を各対応色に係る映像信号で駆動される液晶パネル等の空間光変調部へ導いて変調し、夫々の変調光を合成して投写する方式を採用している（例えば、特許文献１参照。）。
【０００３】
特許文献１による投射型表示装置の構成例を図１０に示す。この光学系は、上下に階層構造になっており、上階層には、光源１１、コリメートレンズ２０、インテグレータ２１、コールドミラー２２、赤外線カットフィルタ２３、３色分解クロスダイクロイックプリズム２４、および分解された各色を偏光し下方に反射する偏光ビームスプリッタプリズム１２ｒ，１２ｇ，１２ｂが配置されている。中階層には、凸レンズ１３ｒ，１３ｇ，１３ｂと偏光子１４ｒ，１４ｇ，１４ｂが配置されている。さらに、下階層には各色光毎に偏光ビームスプリッタプリズム１５ｒ，１５ｇ，１５ｂ、波長板１６ｒ，１６ｇ，１６ｂ、反射型表示素子１７ｒ，１７ｇ，１７ｂ、３色合成クロスダイクロイックプリズム２５、および投射レンズ１８が配置されている。
【０００４】
上階層部の偏光ビームスプリッタプリズム１２と偏光子１４とで、Ｓ偏光の直線偏光とし、下階層部の偏光ビームスプリッタプリズム１５内でＳ偏光が反射して反射型表示素子１７に供給され、表示素子の液晶で変調を受けた光が反射して再び偏光ビームスプリッタプリズム１５に戻り、変調された成分であるＰ偏光光を透過して、３色合成ダイクロイックプリズム２５に導かれる。
【０００５】
このとき、反射型表示素子１７と偏光ビームスプリッタプリズム１５との間には波長板１６が配置されている。斜め光成分が偏光ビームスプリッタ膜に入射すると、直線偏光からずれるために、波長板で位相特性を補正し直線に戻す役割をしている。また、液晶のプレチルトの補正も同時に行うものである。このようにして３色合成された光束が投射レンズ１８でスクリーンに投影される。
【０００６】
上述の波長板の必要性と補正効果については、例えば、特許文献２に詳細に記載されている。また、波長板を組み込んだ反射型空間光変調素子構造および液晶プロジェクタ装置の構造については、例えば、特許文献３に記載されている。
【特許文献１】特開平１０−１９７９４９号公報
【特許文献２】特表平９−５０８７０９号公報
【特許文献３】特開平１１−３０５６７４号公報
【発明の開示】
【発明が解決しようとする課題】
【０００７】
ところで、近年の投射型表示装置は、高輝度化、高コントラスト化に関して非常に高い要求がなされるようになっている。高コントラスト比を実現するために、反射型表示素子と偏光ビームスプリッタプリズムとの間に波長板が配置されており、これにより偏光ビームスプリッタのプリズム偏光分離面への斜め光成分の補正や、液晶のプレチルトの補正を行っている。従って、実際の波長板取付においては、最大のコントラスト比を得るために、特許文献３にあるように、円形の外形形状の波長板を回転して調整を行っていたが、波長板の調整によって、コントラスト比が大きくばらついてしまうという問題があった。
【０００８】
また、波長板を回転させて調整を行う構造をとるため波長板の取り付けを円状に可動構造としなければならず、波長板周辺の機構が複雑するという問題があった。
【０００９】
さらには、波長板を調整した後円状の可動構造部分を固定するため、振動などにより調整位置がずれてしまうという問題があった。
【００１０】
本発明は、以上の点に鑑みなされたもので、空間光変調素子の画素表示領域に対して、波長板を最適な方向に遅相軸をあわせて配置したことにより、引締った均一な黒画面、明るい均一な白画面を実現し、高コントラスト比の投射型表示装置を提供することを目的とする。
【課題を解決するための手段】
【００１１】
本発明は、上記課題を解決するために、以下の１）〜３）に記載の手段よりなる。
すなわち、
１）光源と、照明光学系と、偏光選択変換手段と、少なくとも２組の空間光変調素子及び前記空間光変調素子に対応した波長板と、を用いた投射型表示装置であって、
前記光源より出射された光を前記照明光学系で略均一な平行光とした後、前記偏光選択変換手段により前記空間光変調素子の組数に応じた色光に選択され、且つ偏光方向を揃え前記波長板及び前記空間光変調素子に順次供給されると共に、
前記波長板のうち少なくとも１組以上の波長板の遅相軸を対応する前記反射型光変調素子の画像表示領域のアスペクトの長辺方向に略一致させ、他の組の波長板の遅相軸を対応する前記アスペクトの短辺方向に略一致させるように構成したことを特徴とする投射型表示装置。
【００１２】
２）光源と、照明光学系と、偏光選択変換手段と、前記光源のうち３原色に対応した３組の空間光変調素子及び前記空間光変調素子に対応した波長板を用いた投射型表示装置であって、
前記光源より出射された光を前記照明光学系で均一な平行光とした後、前記偏光選択変換手段により３組の前記空間光変調素子に応じた色光に選択され、且つ偏光方向を揃え前記波長板及び前記空間光変調素子に順次供給されると共に、
前記３組の波長板うち、２組の波長板の遅相軸を対応する前記反射型光変調素子の画像表示領域のアスペクトの長辺方向に略一致させ、残りの１組の波長板の遅相軸を対応する前記アスペクトの短辺方向に略一致たことを特徴とした投射型表示装置。
【００１３】
３）前記波長板の位相差は、前記色光の中心波長において、略１／４波長の位相差を有することを特徴とする１）又は２）に記載の投射型表示装置。
【発明の効果】
【００１４】
本発明の「投射型表示装置」によれば、反射型光変調素子と２組以上の波長板とを用い、少なくとも１組以上の波長板の遅相軸を対応する反射型光変調素子のアスペクトの長辺方向に略一致させ、１組以上の波長板遅相軸を対応する反射型光変調素子のアスペクトの短辺方向に略一致たことにより、高いコントラスト比を得ることが可能な投射型表示装置を提供することができる。
【００１５】
また、空間光変調素子の画素表示領域に対して、波長板を矩形形状に形成し微調して固定するようにしたので、従来の円盤状の波長板を回転して調整後固定するという機構を用いなくともよいため、高いコントラスト比を得た後性能が維持でき、信頼性の高い投射型表示装置を提供することができる。
【発明を実施するための最良の形態】
【００１６】
以下、本発明に係る投射型表示装置の発明を実施するための最良の形態につき、好ましい実施例により説明する。
【００１７】
図１は本実施例に適用される投射型表示装置の構成を示した概略平面図である。同図に示すように、左から可視光を含んで発光する光源１１、光源１１から発した光を色分解合成光学系１に向かって均一な平行光として照射する照明光学系１９、照明光を３原色に分解し３個の空間光変調素子６１，６２，６３に導き、画像信号に応じて変調された各光束を色合成する色分解合成光学系１、図示しないスクリーンに向け画像光を投射する投射レンズ１８よりなる。色分解合成部分は、４個の偏光ビームスプリッタ（以下、ＰＢＳと記す）と４枚の波長選択性位相板より構成される。
【００１８】
即ち、立方体または角柱状の第１、第２、第３、第４の４個のＰＢＳ２、３、４、５を、各ＰＢＳの偏光分離面２１、３１、４１、５１、が略Ｘ字状に交差するように配置している。この場合、第１のＰＢＳ２が入射側ＰＢＳであり、その対角の位置に配置された第４のＰＢＳ５が出射側ＰＢＳである。
【００１９】
なお、入射側ＰＢＳをいずれに選択するかは自由であるが、そのいずれの場合にも入射側ＰＢＳの対角に位置するＰＢＳが必ず出射側ＰＢＳの関係となる。
【００２０】
第１のＰＢＳ２（入射側ＰＢＳ）の４つの透光面２ａ，２ｂ，２ｃ，２ｄのうち選択された一の透光面２ａ（入射側面）の前方、及び第４のＰＢＳ５（出射側ＰＢＳ）の４つの透光面５ａ，５ｂ，５ｃ，５ｄのうち選択された一の透光面５ｃ（出射側面）の後方にはＧ光の偏波面を９０°回転させる第１の波長選択性偏光変換手段（以下、Ｇ用位相板という）６、７が配置されている。
【００２１】
また、第１のＰＢＳ２と第３のＰＢＳ４との間、及び第３のＰＢＳ４と第４のＰＢＳ５との間には、共にＲ光の偏波面を９０°回転させる第２の波長選択性偏光変換手段（以下、Ｒ用位相板という）８、９を備えている。
【００２２】
この場合、Ｇ光に対応した空間光変調素子６１は、第２のＰＢＳ３の透光面３ｃの側面に配置され、Ｒ光対応の空間光変調素子６２は、第３のＰＢＳ４の透光面４ｂ、またＢ光対応の空間光変調素子６３は、第３のＰＢＳ４の透光面４ａの側面に配置されることにる。
【００２３】
色分解光合成学系１は、次のようにして白色光からＲ、Ｇ、Ｂ光を色分解し、さらに合成する作用をなす。
【００２４】
先ず、白色光のＳ偏光が、Ｇ用位相板６に対して与えられる。この場合、Ｇ用位相板６はＧ光のみの偏波面を９０°回転させる機能を有するものであるため、Ｇ用位相板６を透過した白色光のうちＧ光のみが偏光変換されてＳ偏光からＰ偏光に変わる。一方、Ｒ光及びＢ光はＳ偏光のままである。
【００２５】
以後、それぞれの色光について個別にその光路及び偏波面の変移について説明する。
【００２６】
先ず、Ｇ用位相板６を透過したＧ光について説明する。
【００２７】
Ｇ光は、上記したようにＰ偏光に変換されている。Ｇ光は、第１及び第２のＰＢＳ２、３の偏光分離面２１、３１を透過直進して、第２のＰＢＳ３の透光面３ｃより出射してＧ対応の反射型空間光変調素子６１に入射する。そして、当該反射型空間光変調素子６１においてＧ対応の映像信号に応じた光変調を受けて反射される。
【００２８】
光変調されて生成したＧ光のＳ偏光成分は、第２のＰＢＳ３の偏光分離面３１で反射され、第４のＰＢＳ５に入射する。そして、第４のＰＢＳ５の偏光分離面５１において反射され、第４のＰＢＳ５の透光面５ｃより出射し、後段に配置したＧ用位相板７に入射する。
【００２９】
Ｇ用位相板７は前述したようにＧ光に係る偏波面を９０°回転させる機能を有するものであるので、Ｇ光のＳ偏光はＰ偏光に変換されて出射する。
【００３０】
次に、Ｒ光について説明する。
【００３１】
Ｇ用位相板６を透過したＳ偏光のＲ光は、第１のＰＢＳ２の偏光分離面２１で反射されＲ用位相板８に入射する。ここで、Ｒ用位相板８はＲ光の偏波面を９０°回転させる機能を有するものであるため、Ｒ光はＳ偏光からＰ偏光に偏光変換されてこれを出射し、第３のＰＢＳ４に入射する。さらに、Ｐ偏光のＲ光は第３のＰＢＳ４の偏光分離面４１を直進透過して透光面４ｂより出射し、Ｒ対応の反射型空間光変調素子６２に入射する。そして、当該反射型空間光変調素子６２においてＲ対応の映像信号に応じた光変調を受けて反射される。
【００３２】
光変調されたＲ光のＳ偏光成分は、第３のＰＢＳ４の偏光分離面４１で反射され、Ｒ用位相板９に入射する。当該Ｒ用位相板９は上記したようにＲ光の偏波面を変換する機能を有するものであるため、Ｒ光のＳ偏光成分はＰ偏光に偏光変換されて第４のＰＢＳ５に入射する。そして、第４のＰＢＳ５の偏光分離面５１を透過直進して、第４のＰＢＳ５の透光面５ｃより出射し、後段に配置したＧ用位相板７に入射する。
【００３３】
Ｇ用位相板７は前述したようにＲ光には何ら作用せず、Ｒ光はＰ偏光のままこれを出射する。
【００３４】
次に、Ｂ光について説明する。Ｇ用位相板６を透過したＳ偏光のＢ光は、第１のＰＢＳ２の偏光分離面２１で反射されＲ用位相板８に入射する。ここで、Ｒ用位相板８は上記したようにＢ光には何ら作用せず、Ｂ光は偏光変換されることなくＳ偏光のままこれを出射し、第３のＰＢＳ４に入射する。
【００３５】
Ｓ偏光のＢ光は第３のＰＢＳ４の偏光分離面４１で反射され透光面４ａより出射し、Ｂ対応の反射型空間光変調素子６３に入射する。そして、当該反射型空間光変調素子６３においてＢ対応の映像信号に応じた光変調を受けて反射される。
【００３６】
光変調されて生成されたＢ光のＰ偏光成分は、第３のＰＢＳ４の偏光分離面４１を透過直進しＲ用位相板９に入射する。当該Ｒ用位相板９は上記したようにＢ光に対しては何ら作用せず、Ｂ光はＰ偏光のままこれを出射して第４のＰＢＳ５に入射する。そして、第４のＰＢＳ５の偏光分離面５１を透過直進して、第４のＰＢＳ５の透光面５ｃより出射し、後段に配置したＧ用位相板７に入射する。
【００３７】
Ｇ用位相板７は前述したようにＢ光には何ら作用せず、Ｂ光はＰ偏光のままこれを出射する。
【００３８】
このようにして、白色光は色分解合成光学系１において色分解された後、再合成され、Ｒ、Ｇ、Ｂ光の偏波面が共にＰ偏光に揃えられて色分解合成光学系１を出射する。このようにして３色合成された光束が投射レンズ１８で図示しないスクリーンに投影される。
【００３９】
各々の空間光変調素子とＰＢＳの間には１／４波長板１０Ｒ，１０Ｇ，１０Ｂが配置されており、従来例のようにＰＢＳとの斜め光補正と液晶の複屈折分の補正を行っている。このような色分解合成光学系に、黒表示レベルの入力を行い、投射光路中にセンサをおいて、各色とも順次その帯域の色フィルタをセンサの前に設置して、各々の波長板を３６０度回転させコントラスト比の測定をしたところ、表１の結果を得た。各色でコントラスト比の高いところは、波長板を反射型光変調素子の画像エリアのアスペクト比の長辺方向に略遅相軸を合わせた場合と、短辺方向に遅相軸を合わせた場合の２通りあり、各色の組合せは合計で遅延軸１〜遅延軸８の８通りとなる。その結果から、A，B，Cのランク分けをした。特に非常に良好なものは遅延軸２の組合せで、次が遅延軸４の組合せであった。
【００４０】
【表１】
2005242106.tif 000003
【００４１】
表１の測定結果から得られた知見について説明する。反射型光変調素子に入射する光束の偏光方向と、対応する波長板の遅相軸方向とを、略垂直にする方が黒レベルが低下しコントラスト比を高めることがわかる。この現象は色によってその差異が異なり、Ｒでは約２倍のコントラスト差があるが、Ｂ，Ｇでは少ない。従来はこの関係が不明であったために、黒に落ちる調整のうち最適でない方向にて調整していたことになる。
【００４２】
本実施例では、上記結果に基づき、１／４波長板の遅相軸を、表１の組合せ遅延軸２である図１に示すような方向に配置して微調整したことを特徴としている。
【００４３】
Ｂ用波長板は、ＰＢＳの反射光であるＳ偏光が入射する。Ｂ用波長板の遅相軸はＳ偏光の偏光方向と垂直（紙面に平行）に設定して配置している。Ｒ用波長板は、ＰＢＳの透過光であるＰ偏光が入射する。このときＲ用波長板の遅相軸はＰ偏光の偏光方向と垂直（紙面に垂直）に設定して配置している。Ｇ用波長板は、ＰＢＳの透過光であるＰ偏光が入射する。このときＧ用波長板の遅相軸はＰ偏光の偏光方向と垂直（紙面に平行）に設定して配置している。さらに最大のコントラスト比を得るには、液晶複屈折補正分などの微調整が必要であり、投射光路中にセンサをおいて、黒表示を行い最低値を示すように回転調整するので、先に述べた偏光方向と平行角度から数度程度回転している。反射型光変調素子は紙面に対して垂直方向に長辺が向くように配置している。
【００４４】
このとき、反射型光変調素子の画像エリアのアスペクト比と波長板遅相軸方向を図２に示す。
【００４５】
図３には表１の組合せ遅延軸４の構成を示す。図４にその遅相軸方向を示す。図１に比べ、Ｇの波長板の遅相軸が９０度異なっている。この構成も良好なコントラスト比を得ることができる。この組合せではＲ素子のみが長辺に平行である。
【００４６】
波長板としては、水晶などの複屈折結晶、あるいはポリカーボネート系樹脂、ポリオレフィン系樹脂などの有機系材料、など様々な材料のものを用いることができる。有機系材料のものは、樹脂フィルムをガラス基板の一方の面に張り合わせた構成か、または樹脂フィルムをガラス基板で挟んだ構成をとる。
【００４７】
各１／４波長板の位相差は、各色の略中心波長にて１／４波長の位相差を持つように構成する。Ｒ用波長板はＲの中心波長６２０nmに対し、１／４の約１５５nmの位相差をもつ。Ｇ用波長板はＧの中心波長５５０nmに対し、１／４の約１３８nmの位相差をもつ。Ｂ用波長板はＢの中心波長４６０nmに対し、その１／４で約１１５nmの位相差をもつ。各帯域の全波長域に渡って理想的１／４を保つのは難しく、中心波長の定義も適用する表示装置の所望性能で変わるので、現実的には上記に近いバランスの取れた位相差を選ぶ構成とすればよい。従って、各波長域においては、各色の略中心波長にて１／４以下の位相差になる波長域もあれば、１／４以上の位相差になる帯域の組合わせも存在する。
【００４８】
波長板の両面には反射防止膜を施して、空気界面での反射ロスを減らすと共に、スクリーンに向けての不要反射光を減らすようにしている。
【００４９】
図５に１組のＰＢＳプリズムと１色分の空間光変調素子との構成を詳細に示し、構造を説明する。本実施例では、反射型空間光変調素子と波長板が一体化してパッケージされており、部材間はシール材でホコリやゴミが入らないように密閉構造にしている。
【００５０】
波長板１０は上述の説明のように、位相差フィルム１０ｄをガラス基板１０ｃで両側から挟みこんだ構造になっている。反射型空間光変調素子６５は、マトリクス状に画素を配置した画素基板６５ｃと対向面に透明共通電極６５あとを有し、夫々の基板の間隙に液晶を封入した液晶層６５ｂで構成されている。さらに、画素基板６５ｃの液晶層６５ｂに対して裏面には冷却のためのヒートシンク５４が設けられている。反射型空間光変調素子６５と一体化されたヒートシンク５４及び波長板１０がパッケージ５３に納められ、ＰＢＳ５０にシール材５１を介して密閉固定されている。本実施例の波長板１０は、画像を表示する画素基板６５ｃと略同一の面積の矩形であるので、波長板固定部材５２によりパッケージ５３に固定している。この際、従来の円盤状の波長板を回転して調整後固定するという機構を用いなくともよいため、簡素な機構の固定部材でよい。
【００５１】
図６に、空間光変調素子を２枚用いて２板式とした表示装置の構成例を示す。Ｂ-Ｇ用の第１の素子６６と、Ｒ用の第２の素子６２との２板からなる構成で、ＰＢＳプリズム６の照明光入射側にＲ光をそのまま通し、ＢおよびＧ光に対しては時分割で出力光を切り替えるフィルタ６０が配置してある。
【００５２】
図７に波長板のその遅相軸方向を示す。２枚の波長板で、正面からみた時の軸がお互いに略直交した関係にあるように配置している。
【００５３】
図８に３板構成の別の実施例を示す。第１のＰＢＳ（入射側ＰＢＳ）で行う入射光を色分解する構成をダイクロイックミラー１２に置き換えた構成である。また、入射照明光の入射方向も９０°変更されている。その他の構成は同様であり、第２の偏光ＰＢＳ（主ＰＢＳ）３２ａ、第３のＰＢＳ（主ＰＢＳ）３２ｂ、第４のＰＢＳ（射出側ＰＢＳ）３２ｃ、空間光変調素子５２Ｒ，５２Ｇ，５２Ｂ、それらに対応した波長板で構成されている。
【００５４】
このとき、反射型光変調素子の画像エリアのアスペクト比と波長板遅相軸方向を図９に示す。
【００５５】
以上述べたように、本発明の投射型表示装置は、波長板を最適な方向に遅相軸をあわせて配置したことにより、引締った均一な黒画面、明るい均一な白画面を実現し、高コントラスト比の表示装置を提供するものである。
【００５６】
本発明は、図１に示したような色分解合成光学系のみならず、従来例として示した図１０のような構成にも適用できる。
【００５７】
また、図８に示すように、入射光を色分解する構成をダイクロイックミラーに置き換えた構成であっても、全く同様に機能する。その他、様々な３板構成(空間光変調素子を３枚用いる構成)のみならず、２板構成、単板構成であっても同様の効果を得るものである。
【産業上の利用可能性】
【００５８】
本発明は、投射型表示装置、投射型表示装置の一種であるリアプロジェクションテレビなどの他に、空間光変調素子を用いた画像出力装置としてプリンタ、または空間光変調素子を用いた画像入力装置として、カメラやスキャナー、などにも応用できる可能性がある。
【図面の簡単な説明】
【００５９】
【図１】本実施例に適用される投射型表示装置の概略構成を示す図である。
【図２】図１における反射型空間光変調素子と波長板との関係を示す図である。
【図３】図１投射型表示装置において、波長板の遅延軸を変化させた概略構成を示す図である。
【図４】図３における反射型空間光変調素子と波長板との関係を示す図である。
【図５】本実施例に適用される投射型表示装置の反射型空間光変調素子と波長板との詳細な構成例を示す図である。
【図６】空間光変調素子を２枚用いて２板式とした表示装置の構成例を示す図である。
【図７】図６における反射型空間光変調素子と波長板との関係を示す図である。
【図８】別の実施例に適用される投射型表示装置の概略構成を示す図である。
【図９】図８における反射型空間光変調素子と波長板との関係を示す図である。
【図１０】従来例を示す図である。
【符号の説明】
【００６０】
１…色分解合成光学系
２…第１のＰＢＳ（入射側ＰＢＳ）
３…第２の偏光ＰＢＳ（主ＰＢＳ）
４…第３のＰＢＳ（主ＰＢＳ）
５…第４のＰＢＳ（射出側ＰＢＳ）
６，７，１６，１７…第１の波長選択性偏光変換手段（Ｇ用位相板）
８，９…第２の波長選択性偏光変換手段（Ｒ用位相板）
１４，１５…第３の波長選択性偏光変換手段（Ｂ用位相板）
１０…接合部材
１２…緩衝部材
【図１】
2005242106.tif 000004
【図２】
2005242106.tif 000005
【図３】
2005242106.tif 000006
【図４】
2005242106.tif 000007
【図５】
2005242106.tif 000008
【図６】
2005242106.tif 000009
【図７】
2005242106.tif 000010
【図８】
2005242106.tif 000011
【図９】
2005242106.tif 000012
【図１０】
2005242106.tif 000013